(57)【要約】【課題】簡単なシステム構成でありながら、いずれの送信音声入力部からの送信であるかを識別することができる受信音声識別方法を提供する。【解決手段】第２の無線機２の制御器２２側のＰＴＴスイッチ２６が押されると、無線機本体２０は送信電波にトーンスケルチ信号Ａを付加して送信し、トーンスケルチ信号Ａを受信した第１の無線機１の無線機本体１０により、第１の着信音が制御器１２へ伝送されてスピーカ１４から出力されると共に、無線機本体２０は、第１の着信音をリモコン装置２３へ伝送し、第１の着信音がスピーカ２８から出力される。オペレータがマイク２４から通話すると、第２の無線機２の無線機本体２０から第１の無線機１の無線機本体１０へ音声信号Ｆ１が送信され、受信音声が第１の無線機１の制御器１２のスピーカ１４から出力されると共に、マイク２４からの送信音声は無線機本体２０を介してリモコン装置２３へ送られ、スピーカ２８から出力される。【選択図】図２
2010068395.tif 000002
【特許請求の範囲】
【請求項１】
複数の送信音声入力部を有する無線機との間で行う無線通信における受信音声識別方法であって、
前記無線機からの送信時に複数の送信音声入力部毎に異なるトーンスケルチ信号を付加して送信し、受信側無線機では、受信したトーンスケルチ信号毎に異なる着信音を出力または異なる着信表示を行うことを特徴とする受信音声識別方法。
【発明の詳細な説明】
【技術分野】
【０００１】
この発明は、受信音声識別方法に係り、特に複数の送信音声入力部を有する無線機との間で行う無線通信における受信音声識別方法に関するものである。
【背景技術】
【０００２】
図４を参照して従来の無線通信の方法を説明する。図４の上段に第１の無線機１が、下段に第２の無線機２がそれぞれ示されている。第１の無線機１は、無線機本体１１と、無線機本体１１に近接して配置された制御器１２とを備え、制御器１２に、送信音声を入力するためのマイク１３と、受信音声を出力するためのスピーカ１４と、送信を起動するためのＰＴＴスイッチ１５が具備されている。
【０００３】
また、第２の無線機２は、無線機本体２１と、それぞれ無線機本体２１に近接して配置された制御器２２とリモコン装置２３とを備えている。無線機本体２１は、第１の音声出力と第２の音声出力を有し、第１の音声出力に制御器２２が、第２の音声出力にリモコン装置２３がそれぞれ接続されている。第１の無線機１の制御器１２と同様に、制御器２２には、マイク２４とスピーカ２５とＰＴＴスイッチ２６が具備されており、リモコン装置２３にも、マイク２７とスピーカ２８とＰＴＴスイッチ２９が具備されている。
すなわち、第２の無線機２は、制御器２２のマイク２４とリモコン装置２３のマイク２７からなる二つの送信音声入力部を有している。
【０００４】
図４は、第１の無線機１から送信する音声を、第２の無線機２で受信する動作を示している。第１の無線機１のオペレータが制御器１２のＰＴＴスイッチ１５を押して送信を起動し、マイク１３から通話することにより、第１の無線機１の無線機本体１１から第２の無線機２の無線機本体２１へ音声信号Ｆ１が送信され、受信音声が第１の音声出力として制御器２２のスピーカ２５から出力されると共に、第２の音声出力としてリモコン装置２３のスピーカ２８から出力される。
【０００５】
図５は、第２の無線機２の制御器２２側からの送信音声を第１の無線機１で受信する動作を示している。第２の無線機２の制御器２２側のオペレータがＰＴＴスイッチ２６を押して送信を起動し、マイク２４から通話することにより、第２の無線機２の無線機本体２１から第１の無線機１の無線機本体１１へ音声信号Ｆ１が送信され、受信音声が第１の無線機１の制御器１２のスピーカ１４から出力される。このとき、同時に、マイク２４からの送信音声は無線機本体２１を介してリモコン装置２３へ送られ、リモコン装置２３のスピーカ２８から出力される。
【０００６】
図６は、第２の無線機２のリモコン装置２３側からの送信音声を第１の無線機１で受信する動作を示している。第２の無線機２のリモコン装置２３側のオペレータがＰＴＴスイッチ２９を押して送信を起動し、マイク２７から通話することにより、第２の無線機２の無線機本体２１から第１の無線機１の無線機本体１１へ音声信号Ｆ１が送信され、受信音声が第１の無線機１の制御器１２のスピーカ１４から出力される。このとき、同時に、マイク２７からの送信音声は無線機本体２１を介して制御器２２へ送られ、制御器２２のスピーカ２５から出力される。
【０００７】
このようにして第１の無線機１と第２の無線機２との間で音声の送受信が行われるが、第１の無線機１で音声を受信する場合に、受信音声が第２の無線機２の制御器２２側のオペレータからのものであるか、リモコン装置２３側のオペレータからのものであるのかを判別することができない。
同様に、第２の無線機２のリモコン装置２３側で音声を受信する場合に、受信音声が第１の無線機１からのものであるか、制御器２２側のオペレータからのものであるのかを判別することができない。
さらに、第２の無線機２の制御器２２側で音声を受信する場合に、受信音声が第１の無線機１からのものであるか、リモコン装置２３側のオペレータからのものであるのかを判別することができない。
【０００８】
そこで、例えば、特許文献１に示す無線通信システムにおいては、発信端末毎に異なるトーンスケルチ信号を付加して信号の送信を行い、受信側でトーンスケルチ信号を検出してどの端末からの発信かを識別し表示している。
【０００９】
【特許文献１】特開平４−７９２６号公報
【発明の開示】
【発明が解決しようとする課題】
【００１０】
しかしながら、特許文献１のシステムでは、通話状態を監視する装置を前提としており、識別して表示された発信端末をスイッチで選択することによって初めてモニタすることが可能となる。このため、発信端末を識別することはできるものの、システムの構成が複雑になるという問題点があった。
この発明はこのような問題点を解消するためになされたもので、簡単なシステム構成でありながら、いずれの送信音声入力部からの送信であるかを識別することができる受信音声識別方法を提供することを目的とする。
【課題を解決するための手段】
【００１１】
この発明に係る受信音声識別方法は、複数の送信音声入力部を有する無線機との間で行う無線通信における受信音声識別方法であって、無線機からの送信時に複数の送信音声入力部毎に異なるトーンスケルチ信号を付加して送信し、受信側無線機では、受信したトーンスケルチ信号毎に異なる着信音を出力または異なる着信表示を行う方法である。
【発明の効果】
【００１２】
この発明によれば、送信時に複数の送信音声入力部毎に異なるトーンスケルチ信号を付加して送信し、受信側無線機では、受信したトーンスケルチ信号毎に異なる着信音を出力または異なる着信表示を行うので、簡単なシステム構成でありながら、いずれの送信音声入力部からの送信であるかを容易に識別することが可能となる。
【発明を実施するための最良の形態】
【００１３】
以下、この発明の実施の形態を添付図面に基づいて説明する。
図１に実施の形態に係る受信音声識別方法を実施するための無線通信システムの構成を示す。この無線通信システムは、図４に示した従来の無線通信システムにおいて、無線機本体１１及び２１の代わりに無線機本体１０及び２０を備えたものである。
図１の上段に第１の無線機１が、下段に第２の無線機２がそれぞれ示されている。第１の無線機１は、無線機本体１０と、無線機本体１０に近接して配置された制御器１２とを備え、制御器１２に、送信音声を入力するためのマイク１３と、受信音声を出力するためのスピーカ１４と、送信を起動するためのＰＴＴスイッチ１５が具備されている。
【００１４】
また、第２の無線機２は、無線機本体２０と、それぞれ無線機本体２０に近接して配置された制御器２２とリモコン装置２３とを備えている。無線機本体２０は、第１の音声出力と第２の音声出力を有し、第１の音声出力に制御器２２が、第２の音声出力にリモコン装置２３がそれぞれ接続されている。第１の無線機１の制御器１２と同様に、制御器２２には、マイク２４とスピーカ２５とＰＴＴスイッチ２６が具備されており、リモコン装置２３にも、マイク２７とスピーカ２８とＰＴＴスイッチ２９が具備されている。
すなわち、第２の無線機２は、制御器２２のマイク２４とリモコン装置２３のマイク２７からなる二つの送信音声入力部を有している。
【００１５】
無線機本体１０及び２０は、それぞれ図４に示した従来の無線機本体１１及び２１に対して、トーンスケルチ信号の検出機能と、受信時に複数の音色の着信音を出力する機能を追加したものである。その他の構成は、図４に示した従来の無線通信システムと同様である。
【００１６】
図１は、第１の無線機１から送信する音声を、第２の無線機２で受信する動作を示している。第１の無線機１のオペレータが制御器１２のＰＴＴスイッチ１５を押すと、制御器１２から無線機本体１０へＰＴＴ信号が入力されて送信が起動し、マイク１３から通話することにより、第１の無線機１の無線機本体１０から第２の無線機２の無線機本体２０へ音声信号Ｆ１が送信され、受信音声が第１の音声出力として制御器２２のスピーカ２５から出力されると共に、第２の音声出力としてリモコン装置２３のスピーカ２８から出力される。この場合、着信音は出力されない。
【００１７】
図２は、第２の無線機２の制御器２２側からの送信音声を第１の無線機１で受信する動作を示している。第２の無線機２の制御器２２側のオペレータがＰＴＴスイッチ２６を押すと、制御器２２から無線機本体２０へＰＴＴ信号が入力され、無線機本体２０は、送信電波にトーンスケルチ信号Ａを付加して送信する。トーンスケルチ信号Ａを受信した第１の無線機１の無線機本体１０により、トーンスケルチ信号Ａに対応する第１の着信音（例えば、プププッ）が制御器１２へ伝送され、スピーカ１４から出力される。
同時に、制御器２２からＰＴＴ信号を入力した無線機本体２０は、第１の着信音をリモコン装置２３へ伝送し、第１の着信音がリモコン装置２３のスピーカ２８から出力される。
【００１８】
次に、第２の無線機２の制御器２２側のオペレータがマイク２４から通話することにより、第２の無線機２の無線機本体２０から第１の無線機１の無線機本体１０へ音声信号Ｆ１が送信され、受信音声が第１の無線機１の制御器１２のスピーカ１４から出力される。このとき、同時に、マイク２４からの送信音声は無線機本体２０を介してリモコン装置２３へ送られ、リモコン装置２３のスピーカ２８から出力される。
【００１９】
このようにして第１の着信音を発することにより、第１の無線機１で音声を受信する際に、受信音声が第２の無線機２の制御器２２側のオペレータからのものであることを識別することができる。
【００２０】
図３は、第２の無線機２のリモコン装置２３側からの送信音声を第１の無線機１で受信する動作を示している。第２の無線機２のリモコン装置２３側のオペレータがＰＴＴスイッチ２９を押すと、リモコン装置２３から無線機本体２０へＰＴＴ信号が入力され、無線機本体２０は、送信電波にトーンスケルチ信号Ｂを付加して送信する。トーンスケルチ信号Ｂを受信した第１の無線機１の無線機本体１０により、トーンスケルチ信号Ｂに対応する第２の着信音（例えば、ピピピッ）が制御器１２へ伝送され、スピーカ１４から出力される。
同時に、リモコン装置２３からＰＴＴ信号を入力した無線機本体２０は、第２の着信音を制御器２２へ伝送し、第２の着信音が制御器２２のスピーカ２５から出力される。
【００２１】
次に、第２の無線機２のリモコン装置２３側のオペレータがマイク２７から通話することにより、第２の無線機２の無線機本体２０から第１の無線機１の無線機本体１０へ音声信号Ｆ１が送信され、受信音声が第１の無線機１の制御器１２のスピーカ１４から出力される。このとき、同時に、マイク２７からの送信音声は無線機本体２０を介して制御器２２へ送られ、制御器２２のスピーカ２５から出力される。
【００２２】
このようにして第２の着信音を発することにより、第１の無線機１で音声を受信する際に、受信音声が第２の無線機２のリモコン装置２３側のオペレータからのものであることを識別することができる。
【００２３】
上述したように、第１の無線機１で音声を受信する際には、受信音声が第２の無線機２の制御器２２側からのものである場合には第１の着信音が出力され、リモコン装置２３側からのものである場合には第２の着信音が出力されるので、制御器２２とリモコン装置２３のいずれから送信された音声であるかを判別することができる。
同様に、第２の無線機２のリモコン装置２３側で音声を受信する際には、受信音声が第１の無線機１からのものである場合には着信音が出力されず、受信音声が制御器２２側のオペレータからのものである場合には第１の着信音が出力されるので、第１の無線機１と制御器２２のいずれから送信された音声であるかを判別することができる。
さらに、第２の無線機２の制御器２２側で音声を受信する際には、受信音声が第１の無線機１からのものである場合には着信音が出力されず、受信音声がリモコン装置２３側のオペレータからのものである場合には第２の着信音が出力されるので、第１の無線機１とリモコン装置２３のいずれから送信された音声であるかを判別することができる。
【００２４】
上記の実施の形態では、受信音声が第２の無線機２の制御器２２側からのものである場合には第１の着信音を出力し、リモコン装置２３側からのものである場合には第２の着信音を出力したが、これに限るものではなく、着信音の代わりに互いに異なる着信表示をさせることもできる。すなわち、受信音声が第２の無線機２の制御器２２側からのものである場合には第１の着信表示を行い、リモコン装置２３側からのものである場合には第１の着信表示とは異なる第２の着信表示を行う。このようにしても、受信音声がどこから送信された音声であるかを識別することが可能となる。
【００２５】
また、上記の実施の形態では、第１の無線機１が制御器１２のマイク１３からなる一つの送信音声入力部を有し、第２の無線機２が制御器２２のマイク２４とリモコン装置２３のマイク２７からなる二つの送信音声入力部を有していたが、これに限るものではなく、この発明は、複数の送信音声入力部を有する無線機との間で行う無線通信に広く適用することができる。すなわち、第１の無線機１と第２の無線機２が共に二つの送信音声入力部を有していてもよく、また、少なくとも一方の無線機が三つ以上の送信音声入力部を有していてもよい。
【図面の簡単な説明】
【００２６】
【図１】この発明の実施の形態に係る受信音声識別方法を実施するための無線通信システムにおいて第１の無線機から音声を送信する状態を示すブロック図である。
【図２】実施の形態に係る受信音声識別方法を実施するための無線通信システムにおいて第２の無線機の制御器側から音声を送信する状態を示すブロック図である。
【図３】実施の形態に係る受信音声識別方法を実施するための無線通信システムにおいて第２の無線機のリモコン装置側から音声を送信する状態を示すブロック図である。
【図４】従来の無線通信システムにおいて第１の無線機から音声を送信する状態を示すブロック図である。
【図５】従来の無線通信システムにおいて第２の無線機の制御器側から音声を送信する状態を示すブロック図である。
【図６】従来の無線通信システムにおいて第２の無線機のリモコン装置側から音声を送信する状態を示すブロック図である。
【符号の説明】
【００２７】
１  第１の無線機、２  第２の無線機、１０，２０  無線機本体、１２，２２  制御器、１３，２４，２７  マイク、１４，２５，２８  スピーカ、１５，２６，２９  ＰＴＴスイッチ、２３  リモコン装置、Ｆ１  音声信号、Ａ，Ｂ  トーンスケルチ信号。
【図１】
2010068395.tif 000003
【図２】
2010068395.tif 000004
【図３】
2010068395.tif 000005
【図４】
2010068395.tif 000006
【図５】
2010068395.tif 000007
【図６】
2010068395.tif 000008